(57)【要約】【課題】アンテナと無線機本体との無線信号の送受信に伴う信号の劣化を防ぐことを可能にする。【解決手段】ソフトウェア情報に基づいて処理を実行することで通信機能を実現するソフトウェア無線機であって、無線ユニット１２（１２ａ，１２ｂ，１２ｃ）と信号処理本体ユニット１０とにより構成され、無線ユニット１２は、無線通信用のアンテナ２０と、アンテナ２０を介した無線通信のための信号処理を実行する送受信回路２４と、送受信回路２４を介した無線通信のための信号を、信号処理本体ユニット１０との間でデジタル化して送受信するＡ／Ｄ・Ｄ／Ａ変換回路２６と有し、信号処理本体ユニット１０は、Ａ／Ｄ・Ｄ／Ａ変換回路２６との間で送受信されるデジタル化された信号に対して、ソフトウェア情報に基づいて処理を実行する信号処理部３０を有している。【選択図】    図３
2004153661.tif 000002
【特許請求の範囲】
【請求項１】
ソフトウェア情報に基づいて処理を実行することで通信機能を実現するソフトウェア無線機であって、
無線ユニットと信号処理本体ユニットとにより構成され、
前記無線ユニットは、
無線通信用のアンテナと、
前記アンテナを介した無線通信のための信号処理を実行する信号処理回路と、
前記信号処理回路を介した無線通信のための信号を、前記信号処理本体ユニットとの間でデジタル化して送受信する変換回路と有し、
前記信号処理本体ユニットは、
前記変換回路との間で送受信されるデジタル化された信号に対して、ソフトウェア情報に基づいて処理を実行する信号処理手段を有したことを特徴とするソフトウェア無線機。
【請求項２】
前記信号処理本体ユニットは、複数のソフトウェア情報に基づく通信機能にそれぞれ対応する複数の無線ユニットを接続して、それぞれの通信機能を実行することを特徴とする請求項１記載のソフトウェア無線機。
【請求項３】
前記信号処理本体ユニットは、前記複数の無線ユニットを介してそれぞれ受信した、デジタル化された信号を記憶する記憶手段を具備し、
前記信号処理手段は、前記記憶手段に記憶された信号に対して、複数の通信機能を時分割で実行することを特徴とする請求項２記載のソフトウェア無線機。
【請求項４】
信号処理本体ユニットは、前記ソフトウェア情報を無線通信により取得することを特徴とする請求項１記載のソフトウェア無線機。
【請求項５】
ソフトウェア情報に基づいて処理を実行することで通信機能を実現するソフトウェア無線機の信号処理ユニットであって、
無線通信用のアンテナを介した無線通信のための信号をデジタル化して送受信する無線ユニットを接続するための接続手段と、
前記接続手段によって接続された無線ユニットを通じて送受信されるデジタル化された信号に対して、ソフトウェア情報に基づいて処理を実行する信号処理手段と
を具備したことを特徴とするソフトウェア無線機の信号処理ユニット。
【請求項６】
ソフトウェア情報に基づいて処理を実行することで通信機能を実現するソフトウェア無線機であって、
無線ユニットと信号処理本体ユニットとにより構成され、
前記無線ユニットは、
無線通信用のアンテナと、
前記アンテナを介した無線通信のための信号処理を実行する信号処理回路と、
前記信号処理回路を介した無線通信のための信号を所定の周波数の信号に変換して前記信号処理本体ユニットとの間で送受信する変換回路と有し、
前記信号処理本体ユニットは、
前記変換回路との間で送受信される所定の周波数の信号に対して、ソフトウェア情報に基づいて処理を実行する信号処理手段を有したことを特徴とするソフトウェア無線機。
【発明の詳細な説明】
【０００１】
【発明の属する技術分野】
本発明は、ソフトウェア情報に基づいて処理を実行することで通信機能を実現するソフトウェア無線機及び信号処理ユニットに関する。
【０００２】
【従来の技術】
近年、自動車などの移動体に搭載される車載用無線機としては、ＧＰＳ（Ｇｌｏｂａｌ  Ｐｏｓｉｔｉｏｎｉｎｇ  Ｓｙｓｔｅｍ）衛星を利用したナビゲーションシステム、ＥＴＣ（Ｅｌｅｃｔｒｏｎｉｃ  Ｔｏｌｌ  Ｃｏｌｌｅｃｔｉｏｎ）用の端末装置、ＡＭ／ＦＭラジオ受信器、テレビジョン放送受信装置など各種のものがある。
【０００３】
一般に、車載用無線機では、電波の送受信環境が良好となるように、アンテナが車外あるいは車内の窓際などに設置されている。また、無線機本体は、通常、ダッシュボードに設けられた収納部や搭乗者によって操作がし易い場所に設置される。従って、無線機本体とアンテナとは、ケーブルを介して接続される。
【０００４】
【発明が解決しようとする課題】
このように従来の車載用無線機では、アンテナが車外あるいは車内の窓際など無線機本体と離れた場所に設置されるため、ケーブルを介して無線機本体とアンテナとを接続する必要がある。
【０００５】
ところで、近年では、無線通信に用いられる信号は、次第に高い周波数が使用されるようになってきている。このため、前述したように無線機本体とアンテナとがケーブルで接続された構成では、アンテナによって受信された信号を無線周波数のままケーブルを介して無線機本体に伝送すると、ケーブルでの損失により信号が減衰してしまう。また、その逆も同様にして、無線機本体から送信信号をアンテナに伝送する場合もケーブルにおいて信号が減衰してしまう。
【０００６】
本発明は前記のような事情を考慮してなされたもので、アンテナと無線機本体との無線信号の送受信に伴う信号の劣化を防ぐことが可能なソフトウェア無線機及び信号処理ユニットを提供することを目的とする。
【０００７】
【課題を解決するための手段】
本発明は、ソフトウェア情報に基づいて処理を実行することで通信機能を実現するソフトウェア無線機であって、無線ユニットと信号処理本体ユニットとにより構成され、前記無線ユニットは、無線通信用のアンテナと、前記アンテナを介した無線通信のための信号処理を実行する信号処理回路と、前記信号処理回路を介した無線通信のための信号を、前記信号処理本体ユニットとの間でデジタル化して送受信する変換回路と有し、前記信号処理本体ユニットは、前記変換回路との間で送受信されるデジタル化された信号に対して、ソフトウェア情報に基づいて処理を実行する信号処理手段を有したことを特徴とする。
【０００８】
このような構成によれば、無線ユニットに無線通信用のアンテナと信号処理回路の他に信号をデジタル化して送受信する変換回路を設けることで、無線ユニットと信号処理本体ユニットとの間でデジタル化された信号が送受信されるため、無線ユニットと信号処理本体ユニットとの間で信号劣化などの影響を受けない。また、信号処理本体ユニットでは、無線ユニットとの間で送受信されるデジタル化された信号に対して処理を実行できる信号処理手段を設ければ良いので、信号処理手段を高集積化した回路とすることで小型化が可能とる。
【０００９】
また、前記信号処理本体ユニットは、複数のソフトウェア情報に基づく通信機能にそれぞれ対応する複数の無線ユニットを接続して、それぞれの通信機能を実行することを特徴とする。
【００１０】
これにより、複数のソフトウェア情報に基づいて複数の通信機能が実現された場合に、それぞれの通信機能に応じた無線ユニットを接続して使用される。
【００１１】
また、前記信号処理本体ユニットは、前記複数の無線ユニットを介してそれぞれ受信した、デジタル化された信号を記憶する記憶手段を具備し、前記信号処理手段は、前記記憶手段に記憶された信号に対して、複数の通信機能を時分割で実行することを特徴とする。
【００１２】
これにより、無線ユニットからデジタル化された信号を受信するので、この信号を記憶手段に記憶させておくことで、複数の通信機能（通信サービス）を時分割で実行することができる。
【００１３】
また、信号処理本体ユニットは、前記ソフトウェア情報を無線通信により取得することを特徴とする。
【００１４】
これにより、信号処理本体ユニットで実現できる通信機能を拡張することができる。この場合、拡張した通信機能に応じた無線ユニットを交換して使用することができる。
【００１５】
また本発明は、ソフトウェア情報に基づいて処理を実行することで通信機能を実現するソフトウェア無線機の信号処理ユニットであって、無線通信用のアンテナを介した無線通信のための信号をデジタル化して送受信する無線ユニットを接続するための接続手段と、前記接続手段によって接続された無線ユニットを通じて送受信されるデジタル化された信号に対して、ソフトウェア情報に基づいて処理を実行する信号処理手段とを具備したことを特徴とする。
【００１６】
これにより、ソフトウェア情報に基づいて実現される通信機能に応じた無線ユニットを接続して使用することができる。無線ユニットとの間ではデジタル化された信号が送受信されるため信号劣化などの影響を受けない。
【００１７】
また本発明は、ソフトウェア情報に基づいて処理を実行することで通信機能を実現するソフトウェア無線機であって、無線ユニットと信号処理本体ユニットとにより構成され、前記無線ユニットは、無線通信用のアンテナと、前記アンテナを介した無線通信のための信号処理を実行する信号処理回路と、前記信号処理回路を介した無線通信のための信号を所定の周波数の信号に変換して前記信号処理本体ユニットとの間で送受信する変換回路と有し、前記信号処理本体ユニットは、前記変換回路との間で送受信される所定の周波数の信号に対して、ソフトウェア情報に基づいて処理を実行する信号処理手段を有したことを特徴とする。
【００１８】
これにより、高い周波数の信号ではケーブルを介した場合に減衰などの信号劣化が生じるのに対して、劣化が発生しにくい所定の周波数の信号に変換した上で送信を実行することで信号劣化を低減できる。
【００１９】
【発明の実施の形態】
以下、図面を参照して本発明の実施の形態について説明する。
図１は、本実施形態におけるソフトウェア無線機が適用される通信システムの概略構成図である。ソフトウェア無線機は、例えば車載用として構成されるものであり、ソフトウェア情報に基づいて処理を実行することで通信機能を実現することができる。また、ソフトウェア無線機は、複数のソフトウェア情報に基づいて複数の通信機能を実現することができる。例えば、図１に示すラジオ／テレビ放送局２からの電波を受信してＡＭ放送、ＦＭ放送、テレビジョン放送を出力するラジオ（ＡＭ／ＦＭ）機能及びテレビ機能、ＧＰＳ衛星３からの信号を受信して現在地を計測して地図上に表すなどのナビゲーション機能、基地局４から送信されるダウンロードデータ、例えばソフトウェア無線機で通信機能を実現するためのソフトウェア情報などをダウンロードする機能、有料道路に設けられたゲートに設置されたＥＴＣ（Ｅｌｅｃｔｒｏｎｉｃ  Ｔｏｌｌ  Ｃｏｌｌｅｃｔｉｏｎ）用送受信器５との間で通信を行ない自動的に料金の支払いを行う機能などが実現される。
【００２０】
基地局４は、サービスエリアに分散配置されてセルと呼ばれる無線エリアを形成し、その無線エリア内に存在する自動車に搭載されたソフトウェア無線機１と無線チャネルを介して接続される。基地局４は、例えば図示せぬ有線回線を介して通信交換局に接続され、さらにゲートウェイを介してインターネット上に設けられたサーバとの間の接続と通信制御を行う。サーバは、ソフトウェア無線機１に対し、ソフトウェア情報をダウンロードするための機能を有する。基地局４は、例えばＤＳＲＣ（Ｄｅｄｉｃａｔｅｄ  Ｓｈｏｒｔ  Ｒａｎｇｅ  Ｃｏｍｍｕｎｉｃａｔｉｏｎ）方式によりデータをダウンロードするための信号を送出する。また、ダウンロードデータのフォーマットは、例えば、ＥＴＣの標準規格ＡＲＩＢ  ＳＴＤ−Ｔ５５  １．０版におけるＭＤＳ（Ｍｅｓｓａｇｅ
ｄａｔａ  ｓｌｏｔ）フォーマットに従って構成されるものとする。
【００２１】
図２は、本実施形態におけるソフトウェア無線機の自動車への搭載例を示す図である。図２に示すように、ソフトウェア無線機１は、通信機能を実行する信号処理本体ユニット１０（信号処理ユニット）に電波の送受信、あるいは送信、受信の何れか一方をするための少なくとも１つの無線ユニット１２が接続されて構成される。図２に示す例では、３つの無線ユニット１２ａ，１２ｂ，１２ｃが接続された例を示している。
【００２２】
信号処理本体ユニット１０は、例えば自動車内のコンソールに設けられた所定の場所に設置される。無線ユニット１２ａ，１２ｂ，１２ｃは、信号処理本体ユニット１０とケーブルを介して接続され、電波の送受信の状態が良好となる場所、例えば車内のダッシュボード上の窓際、車体上部、車内の後部座席後ろの窓際にそれぞれ設置されている。
【００２３】
図３は本実施形態に係わるソフトウェア無線機の構成を示すブロック図である。図３に示すように、本実施形態におけるソフトウェア無線機１は、信号処理本体ユニット１０の無線ユニット接続部３１に、ケーブルを介して無線ユニット１２が接続されることで構成されている。図３に示す例では、３つの無線ユニット１２ａ，１２ｂ，１２ｃが信号処理本体ユニット１０に接続された状態を示している。
【００２４】
無線ユニット１２ａは、アンテナ２０とアンテナ無線部２２により構成されている。例えば、基地局４から送信された無線周波信号は、アンテナ２０で受信されたのち送受信回路２４（信号処理回路）に入力される。送受信回路２４では、無線周波数信号がアンテナ共用器（ＤＵＰ）を介して周波数変換回路２４ａに入力され、周波数シンセサイザから出力された受信局部発振信号とミキシングされて中間周波信号あるいはベースバンド信号に周波数変換される。なお、周波数シンセサイザから発生される受信局部発振信号の周波数は、信号処理本体ユニット１０（制御部３２）からの制御信号によって指示される。
【００２５】
周波数変換回路２４ａにより変換された中間周波信号またはベースバンド信号は、Ａ／Ｄ・Ｄ／Ａ変換回路２６（変換回路）に出力される。Ａ／Ｄ・Ｄ／Ａ変換回路２６は、中間周波信号またはベースバンド信号のアナログ信号をデジタル化して、ケーブルを介して信号処理本体ユニット１０（信号処理部３０）に送出する。
【００２６】
一方、無線ユニット１２ａを信号処理本体ユニット１０に設けられた通信機能による信号に用いられる場合、Ａ／Ｄ・Ｄ／Ａ変換回路２６は、信号処理本体ユニット１０（信号処理部３０）からデジタル化された信号を受信し、アナログ中間周波信号またはベースバンド信号に変換して送受信回路２４に出力する。送受信回路２４では、周波数変換回路２４ａにより入力された送信信号を周波数シンセサイザから発生される送信局部発振信号と合成して無線周波信号に変換し、送信データレートに基づいて無線周波信号の有効部分だけを高周波増幅して送信無線周波信号として出力する。この送信無線周波信号は、アンテナ共用器を介してアンテナ２０に供給され、このアンテナ２０から基地局へ向けて送信される。
【００２７】
なお、無線ユニット１２ｂ，１２ｃも無線ユニット１２ａと同様の構成を有するものとする。ただし、無線ユニット１２ａ，１２ｂ，１２ｃは、それぞれ信号処理本体ユニット１０の通信機能に応じて接続されるもので、それぞれ対象とする無線周波数信号の周波数帯が異なっている。
【００２８】
信号処理本体ユニット１０は、信号処理部３０、無線ユニット接続部３１、制御部３２、不揮発性メモリ３４、表示部３６、入力部３７、インタフェース（Ｉ／Ｆ）３８、メモリ３９が設けられている。
【００２９】
信号処理部３０は、無線ユニット接続部３１及びケーブルを介して、無線ユニット１２のＡ／Ｄ・Ｄ／Ａ変換回路２６との間でデジタル化された信号を送受信し、このデジタル化された信号に対して、制御部３２によりセットされるソフトウェア情報に基づく通信機能に応じた処理を実行する。信号処理部３０は、無線ユニット１２ａにおいて変換された受信中間周波信号またはベースバンド信号を表すデジタル化された信号をもとに受信デジタルデータを再生する。この受信デジタルデータは、制御部３２に供給される。また、信号処理部３０は、制御部３２によりセットされるソフトウェア情報に基づく通信機能を実行し、通信機能に応じて受信デジタルデータに対する処理を実行する。
【００３０】
信号処理本体ユニット１０には、無線ユニット接続部３１が設けられており、ケーブルを介して無線ユニット１２を接続することができる。無線ユニット接続部３１には、図３に示すように、複数の無線ユニット１２を接続することができる。
【００３１】
なお、信号処理部３０は、無線ユニット接続部３１によって複数の無線ユニット１２ａ，１２ｂ，１２ｃが接続された場合、それぞれから受信されるデジタル化された信号をメモリ３９に格納しておき、制御部３２によってセットされた複数の通信機能によって、それぞれに対応するデジタル化された信号に対する処理を時分割的に実行する。
【００３２】
制御部３２は、信号処理部３０を通じて取得される受信デジタルデータを不揮発性メモリ３４に格納すると共に、この受信デジタルデータに対する通信機能による処理に応じた画面を表示部３６に表示させる。また必要に応じて、受信デジタルデータをインタフェース（Ｉ／Ｆ）３８を通じて、携帯情報端末やノート型パーソナルコンピュータ等のパーソナルコンピュータＰＣへ出力する。受信デジタルデータには、通信機能を実行するためのダウンロードされたソフトウェア情報が含まれるものとする。
【００３３】
入力部３７は、装置に対する各種の指示を入力するためのもので、ダイヤルキーや発信キー、電源キー、終了キー、音量調節キー、モード指定キー等のキー群が設けられている。
【００３４】
制御部３２は、不揮発性メモリ３４に格納されたプログラムに基づいて基本的な制御機能を実行するもので、その基本的な制御機能として、発着信に応じて無線接続制御を実行して、データ通信を可能にする通信制御機能や、インターネットに対しアクセスしてＷｅｂページ等の情報を表示するブラウザ機能、システム選択制御機能、位置登録制御機能等を有している。また、制御部３２は、不揮発性メモリ３４に格納された各種ソフトウェア情報を読み出し、ソフトウェア情報に基づく通信機能を信号処理部３０にセットして、ソフトウェア情報に従った通信機能を実行させる。この通信機能としては、例えばテレビ機能、ラジオ（ＡＭ／ＦＭ）機能、ナビゲーション機能、ＥＴＣ機能等がある。
【００３５】
また、これらの基本制御機能に加え、ダウンロード実行制御機能３２ａと、ソフトウェア管理制御機能３２ｂとを備えている。
【００３６】
ダウンロード実行制御機能３２ａは、入力部３７により入力された要求情報に応じて、通信交換局に対しダイヤルアップによりサーバとの間にデータ通信リンクを開設するための要求を行う。そして、サーバとの間にデータ通信リンクが開設されると、要求情報をダウンロード要求として送出し、サーバから要求に応じたソフトウェア情報をダウンロードし、このダウンロードしたソフトウェア情報を不揮発性メモリ３４に記録する。
【００３７】
ソフトウェア管理制御機能３２ｂは、不揮発性メモリ３４に記録されたソフトウェア情報を機能別に管理し、入力部３７により入力された要求情報に応じて、選択的にソフトウェア情報を読み出して信号処理部３０にセットする。
【００３８】
また、ソフトウェア管理制御機能３２ｂは、入力部３７により通信機能が要求された場合に、不揮発性メモリ３４上に要求された通信機能に対応するソフトウェア情報があるか否かを判断し、ある場合には不揮発性メモリ３４内の該当するソフトウェア情報を読み出して信号処理部３０にセットし、無い場合にはダウンロード実行制御機能３２ａに該当するソフトウェア情報をダウンロードさせる。
【００３９】
また、ソフトウェア管理制御機能３２ｂは、ソフトウェア情報を一括してダウンロードするフルダウンロードと、分割して複数回に分けてダウンロードする部分ダウンロードを実行させることができる。ソフトウェア管理制御機能３２ｂは、部分ダウンロードをする場合には、ダウンロードされたソフトウェア情報を不揮発性メモリ３４上の該当するソフトウェア情報に連結させる。
【００４０】
また、ソフトウェア管理制御機能３２ｂは、電源オフが指示された際に、信号処理部３０にセットしていたソフトウェア情報を表すフラグを制御部３２内のバッファ（図示せず）に書き込む。ソフトウェア管理制御機能３２ｂは、電源オンされた時、制御部３２内のバッファのフラグを参照して、電源オフ時に信号処理部３０にセットされていたソフトウェア情報を判別し、該当するソフトウェア情報を不揮発性メモリ３４から読み出して信号処理部３０にセットする。
【００４１】
次に、本実施形態におけるソフトウェア無線機１の動作及び作用効果について説明する。
まず、ソフトウェア無線機１の通信機能の管理動作について説明する。
【００４２】
電源キーがオンされて、図示しない電源部から電力供給が開始されると、制御部３２は、起動処理を実行して、制御部３２内のバッファ（図示せず）に書き込まれたフラグに基づき、電源オフ時に信号処理部３０にセットされていたソフトウェア情報を不揮発性メモリ３４から読み出して信号処理部３０にセットする。
【００４３】
続いて制御部３２は、入力部３７によりソフトウェア情報の使用要求が入力されたか否か、つまり新たな通信機能の選択があるか否かを判断する。ここで、使用要求が入力されないならば、制御部３２は、既に信号処理部３０にセットされているソフトウェア情報に基づく通信端末動作制御処理に移行する。
【００４４】
一方、入力部３７によりソフトウェア情報の使用要求が入力された場合、制御部３２は、要求されたソフトウェア情報が不揮発性メモリ３４に格納されているか否かを判断する。そして、該当するソフトウェア情報が格納されていない場合、無線ダウンロード画面を表示部３６に表示し、ユーザに対しダウンロード要求の送出に対する入力操作を促す。この状態でユーザによって、ソフトウェア情報を取得するべく入力部３７において取得指示が入力されると、制御部３２は、基地局４を介して、サーバとの間でデータ通信リンクを確立し、基地局４経由でダウンロードデータ、すなわちソフトウェア情報を取得して不揮発性メモリ３４に書き込む。
【００４５】
制御部３２のソフトウェア管理制御機能３２ｂは、不揮発性メモリ３４に書き込んだソフトウェア情報に基づく通信機能を信号処理部３０にセットして、ユーザが希望するサービスを実現するための通信機能を実行する。
【００４６】
このように、本実施形態におけるソフトウェア無線機１では、ソフトウェア情報をダウンロードし、ソフトウェア情報に基づく通信機能を実行することができる。
【００４７】
ソフトウェア無線機１は、ソフトウェア情報に基づく通信機能を実行する場合、その通信機能に応じた無線ユニット１２が、信号処理本体ユニット１０の無線ユニット接続部３１にケーブルを介して接続されることで構成される。
【００４８】
無線ユニット１２は、Ａ／Ｄ・Ｄ／Ａ変換回路２６によって、信号処理本体ユニット１０の信号処理部３０の間をデジタル化した信号によって送受信する。従って、無線ユニット１２が外部との無線通信に用いる信号が高い周波数であっても、ケーブルを介すことによる信号の減衰などによる劣化を低減することができる。このため、信号の減衰を解消するための信号増幅器や電力制御のための回路が不要となる。
【００４９】
これにより、無線ユニット１２を電波の送受信が良好となる任意の位置、例えば車外あるいは車内の窓際などの任意の場所に設置することができる。例えば図２に示す無線ユニット１２ｃのように、信号処理本体ユニット１０から離れた場所に設置することで、信号処理本体ユニット１０と無線ユニット１２ｃとを接続するケーブルが長くなるとしても信号劣化の影響を受けない。
【００５０】
また、信号処理本体ユニット１０は、無線ユニット１２からデジタル化された信号を受信するので、デジタル処理が可能な機能のみが搭載される。従って、信号処理部３０の高集積化、小型化を図ることもできる。このため、信号処理本体ユニット１０の設置場所の自由度も向上する。
【００５１】
また、信号処理本体ユニット１０において実現される通信機能は、ソフトウェア情報をダウンロードすることで追加あるいは更新などを容易にすることができる。これに合わせて、無線ユニット１２は、信号処理本体ユニット１０において実行される通信機能に対応するものに任意に交換することもできる。また、信号処理本体ユニット１０において複数のソフトウェア情報に基づいて複数の通信機能が実行される場合には、それぞれの通信機能に対応する複数の無線ユニット１２（１２ａ，１２ｂ，１２ｃ）を接続して、それぞれの通信機能を実行することが可能である。
【００５２】
また、制御部１０において複数の通信機能が並行して実行される場合、それぞれの通信機能に対応する例えば無線ユニット１２ａ，１２ｂ，１２ｃのそれぞれからデジタル化された信号が受信される。信号処理部３０は、無線ユニット１２ａ，１２ｂ，１２ｃから受信されるデジタル化された信号をメモリ３９に格納しておき、制御部３２によってセットされた複数の通信機能によって、それぞれに対応するデジタル化された信号に対する処理を時分割的に処理することができる。
【００５３】
なお、前述した説明では、ケーブルを介して無線ユニット１２と信号処理本体ユニット１０との間で信号の送受信をしているが、両者の間がデジタル化された信号により送受信されるので、Ｂｌｕｅｔｏｏｔｈなどの近距離無線通信によって接続される構成とすることもできる。この場合、近距離無線通信のために必要なモジュールが比較的小さく実現されているため、無線ユニット１２及び信号処理本体ユニット１０のそれぞれの構成を大型化することもない。
【００５４】
また、前述した説明では、無線ユニット１２にＡ／Ｄ・Ｄ／Ａ変換回路２６を設け、信号処理本体ユニット１０の信号処理部３０との間でデジタル化された信号を送受信するものとして説明しているが、ケーブルを介して信号を送受信する際に劣化が少ない所定の中間周波数のアナログ信号に変換して送受信するようにしても良い。この場合、送受信回路２４は、周波数変換回路２４ａによって、外部との無線通信のための信号を中間周波数の信号に変換して、信号処理部３０に送信するように構成される。信号処理本体ユニット１０の信号処理部３０には、無線ユニット１２との間で送受信される所定の中間周波数のアナログ信号に対して、ソフトウェア情報に基づいて処理を実行する機能を設ける。これにより、信号処理本体ユニット１０において実行される通信機能が、高い周波数の無線通信の信号を対象とする場合であっても、信号処理本体ユニット１０と無線ユニット１２とを接続するケーブルでの損失を低減することができる。
【００５５】
また、本願発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００５６】
【発明の効果】
以上詳述したように本発明によれば、無線ユニットと信号処理本体ユニットとにより構成され、無線ユニットは、無線通信用のアンテナと無線通信のための信号処理を実行する信号処理回路と無線通信のための信号を信号処理本体ユニットとの間でデジタル化して送受信する変換回路と有し、信号処理本体ユニットは、変換回路との間で送受信されるデジタル化された信号に対して、ソフトウェア情報に基づいて処理を実行する信号処理手段を有しているので、アンテナと無線機本体との無線信号の送受信に伴う信号の劣化を防ぐことが可能となる。
【図面の簡単な説明】
【図１】本実施形態におけるソフトウェア無線機が適用される通信システムの概略構成図。
【図２】本実施形態におけるソフトウェア無線機の自動車への搭載例を示す図。
【図３】本実施形態に係わるソフトウェア無線機の構成を示すブロック図。
【符号の説明】
１…ソフトウェア無線機
１０…信号処理本体ユニット
１２（１２ａ，１２ｂ，１２ｃ）…無線ユニット
２０…アンテナ
２２…アンテナ無線部
２４…送受信回路
２４ａ…周波数変換回路
２６…Ａ／Ｄ・Ｄ／Ａ変換回路
３０…信号処理部
３２…制御部
３２ａ…ダウンロード実行制御機能
３２ｂ…ソフトウェア管理制御機能
３４…不揮発性メモリ
３６…表示部
３７…入力部
３８…インタフェース（Ｉ／Ｆ）
３９…メモリ
ＰＣ…パーソナルコンピュータ
【図１】
2004153661.tif 000003
【図２】
2004153661.tif 000004
【図３】
2004153661.tif 000005